(57)【要約】本明細書において開示される実施形態は、固定可能なシリンジアセンブリ、並びに関連する装置及び方法に関する。シリンジアセンブリは、バレルと、プランジャと、固定機構とを含み得る。いくつかの構成において、固定機構は、エラストマーの固定リング、又は剛性の部分的なリングである。プランジャは、複数のリブを含んでもよく、バレル内で長手方向に移動可能である。一度プランジャが所望の長手方向位置に配置されると、プランジャは、軸方向に回転されて、更なる長手方向の移動が制限されるように固定される。
2016512145.tif 000002
【特許請求の範囲】
【請求項１】
シリンジアセンブリであって、
バレルと、
プランジャと、
前記バレル及び前記プランジャに動作可能に連結された固定機構とを含み、
前記固定機構は、前記バレルと前記プランジャとの間の相対移動を選択的に可能にし、かつ制限する、シリンジアセンブリ。
【請求項２】
前記バレル及び前記固定機構は、一体的に形成されている、請求項１に記載のシリンジアセンブリ。
【請求項３】
前記バレル及び前記固定機構は、一体的に形成されている、請求項１に記載のシリンジアセンブリ。
【請求項４】
前記固定機構は、１つ以上の半径方向に拡張する構成要素を含む、請求項１〜３のいずれか一項に記載のシリンジアセンブリ。
【請求項５】
前記固定機構は、変動する半径方向厚さを有する固定リングを含む、請求項１〜４のいずれか一項に記載のシリンジアセンブリ。
【請求項６】
前記固定機構は、変動する半径方向厚さを有する部分的なリングを含む、請求項１〜４のいずれか一項に記載のシリンジアセンブリ。
【請求項７】
前記固定機構は、前記プランジャと係合するように構成された第１干渉表面、及び前記バレルと係合するように構成された第２表面を含む、請求項１〜６のいずれか一項に記載のシリンジアセンブリ。
【請求項８】
前記第１干渉表面は、前記シリンジアセンブリの長手方向軸を中心に非円形であり、前記第２表面は、前記シリンジアセンブリの長手方向軸を中心に円形である、請求項１に記載のシリンジアセンブリ。
【請求項９】
前記プランジャは、前記固定機構と回転可能に係合して、前記固定機構と前記プランジャとの間に選択的に締まりばめを形成するように構成された、複数のリブを含む、請求項１〜８のいずれか一項に記載のシリンジアセンブリ。
【請求項１０】
前記プランジャは、前記バレルの長さの連続的な部分に沿った任意の位置において、前記バレル内に固定可能であるように構成されている、請求項１〜９のいずれか一項に記載のシリンジアセンブリ。
【請求項１１】
前記バレルの遠位端に一体化される弁を更に含み、前記弁は前記バレル内で、前記プランジャと前記弁との間に真空を維持するように構成されている、請求項１〜１０のいずれか一項に記載のシリンジアセンブリ。
【請求項１２】
前記バレルの外部にあり、前記バレル内の真空を維持するように構成された弁を更に含む、請求項１〜１０のいずれか一項に記載のシリンジアセンブリ。
【請求項１３】
シリンジアセンブリであって、
バレルと、
リブを含むプランジャと、
前記リブと係合可能な固定表面を含む固定機構とを含み、
前記シリンジアセンブリは、前記プランジャが前記バレル内で長手方向に移動可能である非固定構成、及び前記プランジャの長手方向の移動が制限される固定構成に配置されるように構成され、
前記固定構成において、前記リブは前記固定表面と係合している、シリンジアセンブリ。
【請求項１４】
前記非固定構成において、前記リブと前記固定表面との間の係合は最小である、請求項１３に記載のシリンジアセンブリ。
【請求項１５】
前記固定機構はエラストマーのリングである、請求項１３又は請求項１４に記載のシリンジアセンブリ。
【請求項１６】
前記固定機構は部分的なリングを含む、請求項１３又は請求項１４に記載のシリンジアセンブリ。
【請求項１７】
前記部分的なリングは剛性材料で作られる、請求項１６に記載のシリンジアセンブリ。
【請求項１８】
前記固定構成において、前記リブは前記固定表面に半径方向の力をかける、請求項１３〜１７のいずれか一項に記載のシリンジアセンブリ。
【請求項１９】
前記固定機構はカム表面を含む、請求項１３〜１８のいずれか一項に記載のシリンジアセンブリ。
【請求項２０】
前記固定表面は、前記固定機構の内側表面上に配置されている、請求項１３〜１９のいずれか一項に記載のシリンジアセンブリ。
【請求項２１】
前記固定機構は、前記バレルの近位端内に配置されている、請求項１３〜２０のいずれか一項に記載のシリンジアセンブリ。
【請求項２２】
前記シリンジアセンブリの、前記非固定構成から前記固定構成への遷移は、前記バレル内で前記プランジャを軸方向に回転させること含む、請求項１３〜２１のいずれか一項に記載のシリンジアセンブリ。
【請求項２３】
前記プランジャは、約８０°〜約１３０°軸方向に回転して、前記非固定構成から前記固定構成へと遷移する、請求項２２に記載のシリンジアセンブリ。
【請求項２４】
前記プランジャは約８０°〜約９０°軸方向に回転して前記非固定構成から前記固定構成へと遷移する、請求項２２に記載のシリンジアセンブリ。
【請求項２５】
前記非固定構成から前記固定構成への遷移の際に当たる触覚的インジケータを更に含む、請求項１３〜２４のいずれか一項に記載のシリンジアセンブリ。
【請求項２６】
前記固定機構は固定リングを含み、前記プランジャの前記リブは前記固定リングの固定表面に対応する、請求項１３〜１５、又は１８〜２５のいずれか一項に記載のシリンジアセンブリ。
【請求項２７】
前記プランジャは複数のリブを含み、前記固定機構は複数の固定表面を含み、前記固定構成において、前記複数のリブは前記複数の固定表面と係合する、請求項１３〜２７のいずれか一項に記載のシリンジアセンブリ。
【請求項２８】
前記シリンジアセンブリは、前記バレルの長さの連続的な部分に沿った任意の位置において、前記非固定構成から前記固定構成へと遷移するように構成されている、請求項１３〜２７のいずれか一項に記載のシリンジアセンブリ。
【請求項２９】
前記バレル内で前記プランジャと前記弁との間に真空を維持するように構成された弁を更に含む、請求項１３〜２８のいずれか一項に記載のシリンジアセンブリ。
【請求項３０】
シリンジアセンブリであって、
近位端及び遠位端を含むバレルと、
プランジャと、
前記バレルの前記近位端内に配置され、前記プランジャに動作可能に連結された、固定リングとを含み、
前記シリンジアセンブリは、前記プランジャが前記バレル内で長手方向に移動可能である非固定構成、及び前記プランジャの長手方向の移動が制限される固定構成に配置されるように構成され、
前記非固定構成と前記固定構成との間の遷移は、前記バレル内で前記プランジャを軸方向に回転させ、前記固定リングと係合させることを含む、シリンジアセンブリ。
【請求項３１】
前記固定リングはエラストマー材を含む、請求項３０に記載のシリンジアセンブリ。
【請求項３２】
前記固定構成において、前記プランジャは前記固定リングに半径方向の力をかける、請求項３０又は請求項３１に記載のシリンジアセンブリ。
【請求項３３】
前記固定構成において、前記固定リングの一部が前記プランジャによって圧縮されて、前記固定リングと前記プランジャとの間に締まりばめを形成する、請求項３０〜３２のいずれか一項に記載のシリンジアセンブリ。
【請求項３４】
前記固定リングはカム表面を含む、請求項３０〜３３のいずれか一項に記載のシリンジアセンブリ。
【請求項３５】
前記カム表面は、前記固定リングの内側表面上に配置された不均一な表面である、請求項３４に記載のシリンジアセンブリ。
【請求項３６】
前記バレルは前記近位端に座部区域を更に含み、前記固定リングは前記座部区域内に配置される、請求項３０〜３５のいずれか一項に記載のシリンジアセンブリ。
【請求項３７】
前記座部区域は、前記固定リングを前記バレル内に保持する、請求項３６に記載のシリンジアセンブリ。
【請求項３８】
前記座部区域は１つ以上の突起部を含み、前記固定リングは１つ以上のスロットを含み、前記１つ以上の突起部及び前記１つ以上のスロットは、互いに係合して、前記固定リングを前記座部区域内の実質的な固定位置に保持するように構成されている、請求項３７に記載のシリンジアセンブリ。
【請求項３９】
前記座部区域は前記固定リングを前記座部区域内に保持するように構成された複数の保持リッジを含む、請求項３７又は請求項３８に記載のシリンジアセンブリ。
【請求項４０】
前記非固定構成から前記固定構成への遷移の際に当たる触覚的インジケータを更に含む、請求項３０〜３９のいずれか一項に記載のシリンジアセンブリ。
【請求項４１】
前記バレルに一体化される弁を更に含み、前記弁は前記バレル内で、前記プランジャと前記弁との間に真空を維持するように構成されている、請求項３０〜４０のいずれか一項に記載のシリンジアセンブリ。
【請求項４２】
シリンジアセンブリであって、
近位端及び遠位端を含むバレルと、
プランジャと、
前記バレル内に配置され、前記プランジャに動作可能に接続され、かつ前記プランジャの前記回転位置に基づいて前記プランジャの長手方向の移動を制限するか、又は可能にするように構成された、第１の部分的なリングとを含む、シリンジアセンブリ。
【請求項４３】
固定構成にあるときに、前記プランジャは前記第１の部分的なリングに半径方向の力をかける、請求項４２に記載のシリンジアセンブリ。
【請求項４４】
前記プランジャは、前記固定構成にあるときに前記第１の部分的なリングに半径方向の力をかける隆起表面を含む、請求項４３に記載のシリンジアセンブリ。
【請求項４５】
非固定構成にあるときに、前記隆起表面は、前記第１の部分的なリングに最小の半径方向の力をかける、請求項４４に記載のシリンジアセンブリ。
【請求項４６】
前記第１の部分的なリングが剛性材料を含む、請求項４２〜４５のいずれか一項に記載のシリンジアセンブリ。
【請求項４７】
前記第１の部分的なリングが、第１カム表面を含む、請求項４２〜４６のいずれか一項に記載のシリンジアセンブリ。
【請求項４８】
前記第１カム表面は、前記第１の部分的なリングの内側表面上に配置された不均一な表面を含む、請求項４７に記載のシリンジアセンブリ。
【請求項４９】
前記不均一な表面は、前記第１の部分的なリングの細い端部周辺から、前記第１の部分的なリングの厚い端部周辺まで延びる非円形の弓状表面を含む、請求項４８に記載のシリンジアセンブリ。
【請求項５０】
前記第１の部分的なリングの外側表面は円形の弓状表面を含む、請求項４２〜４９のいずれか一項に記載のシリンジアセンブリ。
【請求項５１】
前記外側表面は、前記バレルの内側表面とかみ合うように構成される、請求項５０に記載のシリンジアセンブリ。
【請求項５２】
前記第１の部分的なリングは第１末端停止部を含む、請求項４２〜５１のいずれか一項に記載のシリンジアセンブリ。
【請求項５３】
前記第１末端停止部は、前記第１の部分的なリングの細い端部から半径方向内向きに延びる突起部を含む、請求項５２に記載のシリンジアセンブリ。
【請求項５４】
前記第１末端停止部は、前記プランジャのリブが、前記第１の部分的なリングの前記細い端部を越えて回転するのを防ぐような大きさ及び配置である、請求項５３に記載のシリンジアセンブリ。
【請求項５５】
前記第１の部分的なリングは第２末端停止部を含む、請求項４２〜５４のいずれか一項に記載のシリンジアセンブリ。
【請求項５６】
前記第２末端停止部は、前記第１の部分的なリングの細い端部から半径方向内向きに延びる突起部を含む、請求項５５に記載のシリンジアセンブリ。
【請求項５７】
前記第２末端停止部は、前記プランジャのリブが、前記第１の部分的なリングの前記厚い端部を越えて回転するのを防ぐような大きさ及び配置である、請求項５６に記載のシリンジアセンブリ。
【請求項５８】
前記第１の部分的なリングの内側表面が、前記第２末端停止部付近の、前記第１の部分的なリングの前記厚い端部にリッジを含み、これは前記プランジャの前記リブが前記リッジと係合する際に、前記プランジャの長手方向の移動に抵抗するような向き及び大きさである、請求項５７に記載のシリンジアセンブリ。
【請求項５９】
前記リッジは、前記プランジャの前記リブの外側表面上に形成された歯と係合するような大きさ及び向きである、請求項５８に記載のシリンジアセンブリ。
【請求項６０】
前記第１の部分的なリングが、前記バレルの前記近位端の内側に位置する、請求項４２〜５９のいずれか一項に記載のシリンジアセンブリ。
【請求項６１】
前記部分的なリングは、前記バレルと係合して前記第１の部分的なリングを前記バレル内に保持するように構成されている、請求項４２〜６０のいずれか一項に記載のシリンジアセンブリ。
【請求項６２】
前記第１の部分的なリングは、前記バレルと係合して、前記第１の部分的なリングを前記バレル内に保持するように構成された第１保持アームを含む、請求項６１に記載のシリンジアセンブリ。
【請求項６３】
前記バレル内に配置され、前記プランジャに動作可能に接続され、前記プランジャの前記回転位置に基づいて前記プランジャの長手方向の移動を制限するか、又は可能にするように構成された、第２の部分的なリングを更に含む、請求項４２〜６２のいずれか一項に記載のシリンジアセンブリ。
【請求項６４】
固定構成にあるときに、前記プランジャは前記第２の部分的なリングに半径方向の力をかける、請求項６３に記載のシリンジアセンブリ。
【請求項６５】
前記固定構成にあるときに、前記プランジャは前記第２の部分的なリングに前記半径方向の力をかける隆起表面を含む、請求項６４に記載のシリンジアセンブリ。
【請求項６６】
非固定構成にあるときに、前記隆起表面は、前記第２の部分的なリングに実質的な半径方向の力をかけない、請求項６５に記載のシリンジアセンブリ。
【請求項６７】
前記第２の部分的なリングが剛性材料を含む、請求項６３〜６６のいずれか一項に記載のシリンジアセンブリ。
【請求項６８】
前記第２の部分的なリングが、第２カム表面を含む、請求項６３〜６７のいずれか一項に記載のシリンジアセンブリ。
【請求項６９】
前記第２カム表面は、前記第２の部分的なリングの内側表面上に配置された不均一な表面を含む、請求項６８に記載のシリンジアセンブリ。
【請求項７０】
前記不均一な表面は、前記第２の部分的なリングの細い端部周辺から、前記第２の部分的なリングの厚い端部周辺まで延びる非円形の弓状表面を含む、請求項６９に記載のシリンジアセンブリ。
【請求項７１】
前記第２の部分的なリングの外側表面は円形の弓状表面を含む、請求項６３〜７０のいずれか一項に記載のシリンジアセンブリ。
【請求項７２】
前記外側表面は、前記バレルの内側表面とかみ合うように構成される、請求項７１に記載のシリンジアセンブリ。
【請求項７３】
前記第２の部分的なリングは第１末端停止部を含む、請求項６３〜７２のいずれか一項に記載のシリンジアセンブリ。
【請求項７４】
前記第１末端停止部は、前記第２の部分的なリングの細い端部から半径方向内向きに延びる突起部を含む、請求項７３に記載のシリンジアセンブリ。
【請求項７５】
前記第１末端停止部は、前記プランジャの第２リブが、前記第２の部分的なリングの前記細い端部を越えて回転するのを防ぐような大きさ及び配置である、請求項７４に記載のシリンジアセンブリ。
【請求項７６】
前記第２の部分的なリングは第２末端停止部を含む、請求項６３〜７５のいずれか一項に記載のシリンジアセンブリ。
【請求項７７】
前記第２末端停止部は、前記第２の部分的なリングの厚い端部から半径方向内向きに延びる突起部を含む、請求項７６に記載のシリンジアセンブリ。
【請求項７８】
前記第２末端停止部は、前記プランジャの第２リブが、前記第２の部分的なリングの前記厚い端部を越えて回転するのを防ぐような大きさ及び配置である、請求項７７に記載のシリンジアセンブリ。
【請求項７９】
前記第２の部分的なリングの内側表面は、前記第２末端停止部付近の、前記第２の部分的なリングの前記厚い端部にリッジを含み、これは前記プランジャの前記第２リブが前記リッジと係合する際に、前記プランジャの長手方向の移動に抵抗するような向き及び大きさである、請求項７８に記載のシリンジアセンブリ。
【請求項８０】
前記リッジは、前記プランジャの前記第２リブの外側表面上に形成された歯と係合するような大きさ及び向きである、請求項７９に記載のシリンジアセンブリ。
【請求項８１】
前記第２の部分的なリングが、前記バレルの前記近位端の内側に位置する、請求項６３〜８０のいずれか一項に記載のシリンジアセンブリ。
【請求項８２】
前記第２の部分的なリングは、前記バレルと係合して前記第２の部分的なリングを前記バレル内に保持するように構成されている、請求項６３〜８１のいずれか一項に記載のシリンジアセンブリ。
【請求項８３】
前記第２の部分的なリングは、前記バレルと係合して、前記第２の部分的なリングを前記バレル内に保持するように構成された第２保持アームを含む、請求項８２に記載のシリンジアセンブリ。
【請求項８４】
前記バレルは前記近位端に座部区域を更に含み、前記第１及び第２の部分的なリングは前記座部区域内に配置される、請求項６３〜８３のいずれか一項に記載のシリンジアセンブリ。
【請求項８５】
前記座部区域は、前記第１及び第２の部分的なリングを前記バレル内に保持するように構成されている、請求項８４に記載のシリンジアセンブリ。
【請求項８６】
前記第１の部分的なリングは、前記バレルと係合して前記第１の部分的なリングを前記座部区域内に保持するように構成された第１保持アームを含み、前記第２の部分的なリングは、前記バレルと係合して前記第２の部分的なリングを前記座部区域内に保持するように構成された第２保持アームを含む、請求項８４又は請求項８５に記載のシリンジアセンブリ。
【請求項８７】
前記第１保持アームは、前記バレル内で第１受容部と係合するように構成された第１ラッチを含み、前記第２保持アームは、前記バレル内で第２受容部と係合するように構成された第２ラッチを含む、請求項８６に記載のシリンジアセンブリ。
【請求項８８】
前記第１受容部が前記バレルの把持部材内に位置し、前記第２受容部もまた前記バレルの前記把持部材内に位置する、請求項８７に記載のシリンジアセンブリ。
【請求項８９】
前記座部区域は、前記バレルの残りの部分の内径よりも大きな内径を含む、請求項８４〜８８のいずれか一項に記載のシリンジアセンブリ。
【請求項９０】
前記座部区域は、前記プランジャが前記第１及び第２の部分的なリングに半径方向の力をかけたときに、前記座部区域の前記内径を外向きに変形させるように配置及び構成されている、１つ以上の開口を含む、請求項８９に記載のシリンジアセンブリ。
【請求項９１】
前記プランジャが固定構成へと回転される際に当たる、触覚的インジケータを更に含む、請求項４２〜９０のいずれか一項に記載のシリンジアセンブリ。
【請求項９２】
前記バレルに一体化される弁を更に含み、前記弁は前記バレル内で、前記プランジャと前記弁との間に真空を維持するように構成されている、請求項４２〜９１のいずれか一項に記載のシリンジアセンブリ。
【請求項９３】
シリンジ内の真空を維持するための弁であって、
シリンジ及び身体挿入装置を流体連結するように構成された、流体チャネルを含む本体部分と、
前記シリンジ内の真空を維持するのに十分に前記流体チャネルを流体密封するように構成され、かつ作動されない限り前記流体チャネルを遮断するように前記本体部分に動作可能に接続された、弁部材と、
前記弁部材に動作可能に接続され、前記流体チャネルを解放するのに十分なだけ前記弁部材を移動させるように構成された作動装置とを含み、前記作動装置は片手で作動されるように構成されている、弁。
【請求項９４】
前記作動装置は、前記弁部材を線形に作動させるように構成されている、請求項９３に記載の弁。
【請求項９５】
前記作動装置は第１位置及び第２位置を有し、前記作動装置が前記第１位置にあるとき、前記弁部材は前記流体チャネルを遮断するように位置付けられ、前記作動装置が前記第２位置にあるとき、前記弁部材は前記流体チャネルを少なくとも部分的に解放するように位置付けられる、請求項９４に記載の弁。
【請求項９６】
前記作動装置は、前記作動装置を前記第１位置から前記第２位置へと移動させるように構成された押圧可能な表面を含む、請求項９５に記載の弁。
【請求項９７】
前記作動装置は、前記押圧可能な表面から圧力が解放された後に、前記第２位置に留まるように構成されている、請求項９６に記載の弁。
【請求項９８】
前記作動装置は、前記押圧可能な表面から圧力が解放された後に、前記第１位置に戻るように構成されている、請求項９６に記載の弁。
【請求項９９】
前記作動装置は、前記押圧可能な表面から圧力が解放された後に、前記弁部材を遮断位置へと戻すように構成されたばね部材を含む、請求項９８に記載の弁。
【請求項１００】
患者に負のゲージ圧を適用する方法であって、
バレルと、プランジャと、カム表面を含む固定機構とを含む、シリンジアセンブリを得ることと、
前記バレル内の前記プランジャを引いて、前記バレル内に負のゲージ圧を形成することと、
負のゲージ圧を維持するために、前記カム表面が非固定構成から固定構成に遷移するように、前記プランジャを前記バレルに対して軸方向に回転させることと、を含む、方法。
【請求項１０１】
前記プランジャを軸方向に回転させることが、前記カム表面に対して半径方向の力をかけることを含む、請求項１００に記載の方法。
【請求項１０２】
半径方向の力をかけることが、エラストマーのリングに半径方向の力をかけることを含む、請求項１０１に記載の方法。
【請求項１０３】
半径方向の力をかけることが、剛性の部分的なリングに半径方向の力をかけることを含む、請求項１０１に記載の方法。
【請求項１０４】
弁作動装置を押圧して、前記シリンジアセンブリを身体挿入装置に流体連結し、前記バレル内の前記負のゲージ圧を解放することを更に含む、請求項１００〜１０３のいずか一項に記載の方法。
【請求項１０５】
前記弁作動装置を押圧することは、前記バレルと一体化している弁作動装置を押圧することを含む、請求項１０４に記載の方法。
【請求項１０６】
前記弁作動装置を押圧することは、前記バレルの外部にある弁作動装置を押圧することを含む、請求項１０４に記載の方法。
【請求項１０７】
前記バレルと前記患者の身体の標的部位との間の流体連通をもたらすために弁を作動させることであって、それによって前記負のゲージ圧が前記標的部位から前記バレルへと流体又は物質を引くようにすることを更に含む、請求項１００に記載の方法。
【請求項１０８】
前記弁を作動させることは、片手のみで前記弁を操作し、前記シリンジを把持することを含む、請求項１０７に記載の方法。
【発明の詳細な説明】
【技術分野】
【０００１】
（関連出願の相互参照）
本出願は、２０１３年３月１５日に出願された、米国仮特許出願番号第６１／７９９，１３３号、表題「ＬＯＣＫＡＢＬＥ  ＳＹＲＩＮＧＥ  ＡＳＳＥＭＢＬＹ」への優先権を主張し、その内容は参照することにより本明細書にその全体が組み込まれる。
【０００２】
（発明の分野）
本開示は一般的に、シリンジアセンブリ、並びに関連する装置及び方法に関する。より具体的に、本開示は、プランジャがシリンジバレル内の位置で固定可能であるシリンジアセンブリ、並びにこのシリンジアセンブリに関連する装置及び方法に関する。
【０００３】
本明細書において開示される実施形態は、添付の図面と併せ、以下の記載及び添付の請求項からより完全に明らかになる。これらの図面は典型的な実施形態のみを表し、これは以下の添付の図面の使用により更なる具体性及び詳細と共に記載される。
【図面の簡単な説明】
【０００４】
【図１】シリンジアセンブリの一実施形態の斜視図である。
【図２】図１のシリンジアセンブリの別の斜視図である。
【図３】図１のシリンジアセンブリの側面図である。
【図４】図１のシリンジアセンブリの端面図である。
【図５】図１のシリンジアセンブリの別の端面図である。
【図６】図４の表示ライン６−６に沿った、図１のシリンジアセンブリの断面図である。
【図７】図１のシリンジアセンブリの分解図である。
【図８】図１のシリンジアセンブリの別の分解図である。
【図９】これも表示ライン６−６に沿った、図１のシリンジアセンブリの断面図である。
【図１０】これも表示ライン６−６に沿った、図１のシリンジアセンブリの別の断面図である。
【図１１Ａ】固定機構の様々な構成を示す、表示ライン１１−１１に沿った、図１のシリンジアセンブリの断面図である。
【図１１Ｂ】固定機構の様々な構成を示す、表示ライン１１−１１に沿った、図１のシリンジアセンブリの断面図である。
【図１１Ｃ】固定機構の様々な構成を示す、表示ライン１１−１１に沿った、図１のシリンジアセンブリの断面図である。
【図１２】シリンジアセンブリの別の実施形態の斜視図である。
【図１３】図１２のシリンジアセンブリ別の斜視図である。
【図１４】図１２のシリンジアセンブリの分解図である。
【図１５】図１２のシリンジアセンブリの別の分解図である。
【図１６Ａ】固定機構の様々な構成を示す、表示ライン１６〜１６に沿った、図１２のシリンジアセンブリの断面図である。
【図１６Ｂ】固定機構の様々な構成を示す、表示ライン１６〜１６に沿った、図１２のシリンジアセンブリの断面図である。
【図１６Ｃ】固定機構の様々な構成を示す、表示ライン１６〜１６に沿った、図１２のシリンジアセンブリの断面図である。
【図１７Ａ】弁の一実施形態の分解図である。
【図１７Ｂ】図１７Ａの弁の部分分解図である。
【図１７Ｃ】第１位置における図１７Ａの弁の組立図である。
【図１７Ｄ】第２位置における、図１７Ａの弁の組立図である。
【図１８Ａ】表示ライン１８Ａ−１８Ａに沿った、図１７Ｃに例示される弁の断面図である。
【図１８Ｂ】表示ライン１８Ｂ−１８Ｂに沿った、図１７Ｄに例示される弁の断面図である。
【発明を実施するための形態】
【０００５】
本明細書において開示される様々な実施形態は、シリンジアセンブリに関連する。より具体的に、実施形態は、プランジャがシリンジバレル内の所望の長手方向位置において固定可能である、固定可能なシリンジアセンブリに関連する。固定可能なシリンジアセンブリは多くの医療用途において使用され得る。例えば、固定可能なシリンジアセンブリは、患者内から流体を抜き取るために使用され得る。施術者は、シリンジアセンブリからプランジャを引き、それによりシリンジバレル内に負のゲージ圧、又は真空を生じてもよい。施術者はその後、シリンジバレル内の所望の位置にプランジャを固定して負のゲージ圧を維持し、患者内からの流体の抜き出しを促進してもよい。
【０００６】
実施形態は、図面を参照することにより容易に理解することができ、明細書全体を通じて同様の部分は同様の番号で指定される。本明細書において一般的に記載され、図中に例示される実施形態の構成要素が、様々な異なる構成において配置及び設計され得ることが容易に理解される。したがって、図面に示される、以下の様々な実施形態のより詳細な説明は、特許請求される本開示の範囲を限定することを意図せず、単に様々な実施形態を代表するにすぎない。いくつかの場合において、既知の構造、材料、又は動作は、詳細には図示又は記載されない。実施形態の様々な態様が図面に示されるが、特に指示されない限り、図面は必ずしも縮尺通りに描かれない。
【０００７】
用語「接続された」、「連結された」、及び「連絡している」とは、２つ以上の実体間の相互作用のいずれかの形態を指し、これには、機械的、電気的、磁気的、電磁的、流体的、及び熱的相互作用が挙げられるがこれらに限定されない。２つの構成要素は、これらが互いに直接接触していなくても、互いに連結している場合がある。例えば、２つの構成要素は、中間的な構成要素を介して互いに連結されてもよい。用語「当接する」及び「当接している」とは、物体が互いに直接物理的に接触していることを指すが、物体は必ずしも取り付けられていなくてよい。
【０００８】
用語「遠位」及び「近位」は、当該技術分野における通常の意味である。すなわち、医療装置の遠位端とは、使用中に施術者から最も遠い、装置の端部を意味する。近位端とは、反対側の端部、又は使用中に施術者に最も近い端部を指す。特にシリンジアセンプリに適用される場合、シリンジアセンブリの遠位端とは、シリンジの入口／出口ポートに最も近い端部を指し、近位端とは、反対側の端部、把持部材に最も近い端部を指す。更に、用語「遠位端」とは、その遠位端が手術中の１つ以上の時点において一時的に施術者により近くなるとしても、入口／出口ポートに最も近い端部を常に指すことが理解される。
【０００９】
図１は、シリンジアセンブリの一実施形態、シリンジアセンブリ１００の斜視図である。図１に示されるように、シリンジアセンブリ１００は、バレル１１０及びプランジャ１３０を含み得る。図１には示されないが、シリンジアセンブリ１００は、固定機構を更に含む。係合するとき、固定機構は、プランジャ１３０のバレル１１０内における長手方向の移動を制限するように構成される。
【００１０】
バレル１１０は、中空、又は実質的に中空である。いくつかの実施形態において、バレル１１０は、内部を通じて延びるルーメンを有する、細長い円筒形チューブ１１２を含む。バレル１１０は、遠位端１１４及び近位端１１６を含む。バレル１１０の遠位端１１４は、開口部１１５を含み得る。いくつかの実施形態において、開口部１１５は、入口／出口ポートとして記載される。開口部１１５は、液体及び気体などの流体を、バレル１１０を出入りして通過させるように構成され得る。バレル１１０の遠位端１１４はまた、針又は他の補助装置に連結されるように構成されてもよく、これらは、流体の導入又は取り出しのための、人体内へのアクセスを容易にし得る。例えば、バレル１１０の遠位端１１４は、ルアー付属部などの付属部１１３を含み得る。ルアー付属部は、ねじ付きであってもよい。他の種類の既知の付属部１１３もまた使用され得る。
【００１１】
バレル１１０の近位端１１６は開口部を含み、それを通じてプランジャ１３０が延びるか、及び／又は挿入される。バレル１１０の近位端１１６はまた、１つ以上の把持部材１１７を含み得る。１つ以上の把持部材１１７は、バレル１１０から外向きに延び、施術者によるシリンジアセンブリ１００の使用を容易にする。いくつかの実施形態において、１つ以上の把持部材１１７は指グリップを含む。他の実施形態において、１つ以上の把持部材１１７は、ハンドル又は同様の構造を含む。
【００１２】
いくつかの実施形態において、固定機構はバレル１１０内に配置される。図１に示されるように、例えば、バレル１１０は座部区域１１９を含む。座部区域１１９の内径及び外径は、バレル１１０の残りの部分の内径及び外径よりも大きい場合がある。座部区域１１９は、バレル１１０の近位端１１６に、又はその付近に配置され得る。あるいは、座部区域１１９は、バレル１１０内の位置、又はこれに近接する他の位置に配置される。
【００１３】
座部区域１１９は、実質的に固定位置で、固定機構に連結されるか、及び／又はこれを保持し得る。例えば、座部区域１１９の内側表面は、固定機構と係合するように構成された、１つ以上の突起部を含み得る。固定機構を保持するために１つ以上の保持リッジもまた使用され得る。
【００１４】
いくつかの実施形態において、固定機構は、バレル１１０及びプランジャ１３０に動作可能に連結される。固定機構は、バレル１１０とプランジャ１３０との間の相対的な移動を選択的に可能にするか、及び／又は制限するように構成され得る。いくつかの実施形態において、固定機構は、バレル１１０とは別の、個別の構成要素である。他の実施形態において、固定機構は、バレル１１０と一体的に形成されている。いくつかの実施形態において、固定機構は、固定リングとして記載され得る、エラストマーのリングを含む。固定リングは個別の構造であってもよく、又は嵌め合わされてリング若しくは同様の構造を形成し得る、２つ以上のサブ構成要素を含んでもよい。固定リングは、変動する半径方向厚さを有し得る。
【００１５】
固定機構はプランジャ１３０と係合するように構成された第１干渉表面と、バレル１１０と係合するように構成された第２表面を含み得る。いくつかの実施形態において、第１干渉表面は、シリンジアセンブリ１００の長手方向軸を中心に非円形であり、第２表面は、シリンジアセンブリ１００の長手方向軸を中心に円形である。第１干渉表面は、固定機構の内側表面であってもよく、又はその上に配置されてもよく、第２表面は、固定部材の外側表面であってもよく、又はその上に配置されてもよい。プランジャ１３０の回転が固定機構と係合して、固定機構とプランジャ１３０との間に選択的に締まりばめを形成してもよい。
【００１６】
いくつかの実施形態において、固定機構はカム表面を含む。本明細書において使用されるとき、用語「カム表面」とは、回転力を線形の力に変換するように構成された表面を指す。例えば、カム表面は、非円形の表面、又は不均一な半径を有する表面であってもよい。カム表面は、回転部材又は静止部材のいずれかの上に配置してよく、ここで回転部材が相互作用するか、及び／又は係合する。したがって、いくつかの実施形態において、カム表面は固定機構の上に配置される。例えば、カム表面は、固定リングの内側表面上に配置されてもよい。他の実施形態において、カム表面はプランジャ１３０上に配置される。例えば、プランジャ１３０は、楕円形の形状であってよく、カム表面はプランジャ１３０の外部表面上に配置され得る。
【００１７】
図１に具体的に示されていないが、バレル１１０はまた、当該技術分野において一般的に既知の追加的な機構又は構成要素を含み得る。例えば、バレル１１０は、バレル１１０に導入されるか、又はここから放出され得る、流体の特定量を示すことができる、しるしマーキングを含み得る。
【００１８】
プランジャ１３０、又はその一部がバレル１１０内に配置される。プランジャ１３０の形状、大きさ、及び構造は所望により様々であり得る。いくつかの実施形態において、プランジャ１３０は、細長いシャフト１３２及び１つ以上のリブ１３３を含む。リブ１３３は、シャフト１３２に対して構造及び支持を付与するように構成されてもよく、また固定機構と係合してもよい。
【００１９】
リブ１３３の数は所望により様々であり得る。例えば、いくつかの実施形態において、プランジャ１３０はリブ１３３を１つしか含まない。他の実施形態において、プランジャ１３０は２つのリブ１３３を含む。他の実施形態において、プランジャ１３０は３つのリブ１３３を含む。更に他の実施形態において、プランジャ１３０は４つのリブ１３３を含む。更に他の実施形態において、プランジャ１３０は５つ以上のリブ１３３を含む。
【００２０】
リブ１３３は、シャフト１３２の長手方向軸ＡＬから半径方向に、シャフト１３２の長さに沿って長手方向に延びてもよい。いくつかの実施形態において、リブ１３３は、シャフト１３２の長さ全体に沿って長手方向に延びる。他の実施形態において、リブ１３３は、シャフト１３２の長さの一部のみに沿って長手方向に延びる。リブ１３３はまた、施術者によるシリンジアセンブリ１００の使用を容易にするために、プランジャ１３０の近位端１３６に向かってテーパ状であってもよい。例えば、リブ１３３をテーパ状にすると、プランジャ１３０の把持が容易になり得る。
【００２１】
プランジャ１３０は、遠位端１３４及び近位端１３６を含む。例示される実施形態において、遠位端１３４はバレル１１０内に配置される。プランジャ１３０の遠位端１３４は、プランジャヘッドを含む。いくつかの実施形態において、プランジャヘッドは、プランジャ１３０の遠位端１３４に連結された個別の構成要素である。他の実施形態において、プランジャヘッドは、プランジャ１３０の遠位端１３４と一体である。プランジャヘッドは、様々なエラストマー材を含んでもよく、バレル１１０の内側表面に当接して、バレル１１０の内側表面と密封係合を形成するように構成され得る。理解され得るように、プランジャヘッドは、バレル１１０内で摺動自在であるように構成される。他の実施形態において、プランジャ１３０は、バレル１１０とプランジャ１３０との間のねじ付部材の係合なしに、バレル１１０の長さを摺動することができる。
【００２２】
図１に更に示されるように、プランジャ１３０の近位端１３６は、把持部材１３７を含み得る。把持部材１３７は、施術者によるシリンジアセンブリ１００の使用を容易にする。様々な把持部材１３７が使用され得る。例えば、いくつかの実施形態において、把持部材１３７は、円形のディスク、又は細長いディスクを含む。他の実施形態において、把持部材１３７は、ハンドル又は同様の構造を含む。
【００２３】
いくつかの実施形態において、シリンジアセンブリ１００は、非固定構成に配置されるように構成される。非固定構成において、プランジャ１３０は、施術者によりバレル１１０内で移動させることができる。例えば、プランジャ１３０は、シリンジアセンブリ１００の長手方向軸ＡＬに沿って制限なく移動可能である。プランジャ１３０はしたがって、バレル１１０内で長手方向に移動可能であるか、又は長手方向に変位可能であるものとして記載され得る。
【００２４】
シリンジアセンブリ１００はまた、固定構成に配置されるように構成される。固定構成において、プランジャ１３０の長手方向の移動は、制限されるか、又は実質的に制限される。非固定構成と固定構成との間の遷移は、様々な方法で生じ得る。いくつかの実施形態において、例えば、シリンジアセンブリ１００の、非固定構成から固定構成への、及びその逆の遷移は、長手方向軸ＡＬを中心としたプランジャ１３０の回転を含む。プランジャ１３０はしたがって、バレル１１０内で、軸方向に回転可能であるか、軸方向に回転するように構成されたものとして記載され得る。いくつかの実施形態において、プランジャ１３０の軸方向の回転は、固定機構との係合を生じる。係合するとき、固定機構は、プランジャ１３０のバレル１１０内における長手方向の移動を制限するか又は実質的に制限する。
【００２５】
シリンジアセンブリ１００は、非固定構成から固定構成に、又はその逆に遷移する際に当たる、触覚的指標を更に含み得る。触覚的指標は、シリンジアセンブリが固定構成に、又は非固定構成に遷移したことを、施術者に知らせることができる。例えば、施術者はプランジャを固定構成から非固定構成に、及びその逆に回転させ、遷移中に触覚的指標を感じることができる。施術者はその後、プランジャ１３０を軸方向にそれ以上回転させないようにしてもよい。
【００２６】
図２は、図１のシリンジアセンブリ１００の別の斜視図である。図２に示されるように、シリンジアセンブリ１００は、バレル１１０と、プランジャ１３０と、固定機構１５０とを含む。固定機構１５０は、バレル１１０の近位端１１６付近に位置する、座部区域１１９内に配置されるものとして示される。プランジャ１３０は、これが固定機構１５０と係合し、これを通じてバレル１１０内へと延びるように配置されるものとして示される。
【００２７】
図３は、図１のシリンジアセンブリ１００の側面図である。図３に示されるように、シリンジアセンブリ１００は、バレル１１０と、プランジャ１３０と、固定機構とを含む。プランジャ１３０の遠位端１３４は、バレル１１０内に配置されるものとして示される。プランジャ１３０の遠位端１３４は更に、プランジャヘッド１３１を含むものとして示される。先に記載されたように、プランジャヘッド１３１は、バレル１１０の内側表面により流体密封係合をもたらすことができる。
【００２８】
図４〜５は、図１のシリンジアセンブリ１００の端面図である。図４は、シリンジアセンブリ１００の開口部１１５、付属部１１３、及び座部区域１１９を示す。図４はまた、バレル１１０から外向きに延びる把持部材１１７を示す。図５は、バレルの把持部材１１７、及びプランジャの把持部材１３７を示す。
【００２９】
図６は、図１のシリンジアセンブリ１００の側断面図である。より具体的には、図６は、図４の表示ライン６−６に沿った断面図である。図６に示されるように、シリンジアセンブリ１００は、バレル１１０と、プランジャ１３０と、固定機構１５０とを含む。固定機構１５０は、バレル１１０とプランジャ１３０との間に配置される。図６に更に記載されるように、固定機構１５０は、これが座部区域１１９を越えて延びないように、座部区域１１９に拘束されていてもよい。
【００３０】
プランジャ１３０の一部がバレル１１０内に配置される。プランジャ１３０の遠位端１３４はプランジャヘッド１３１を含む。プランジャヘッド１３１は、バレル１１０の内側表面１２０に当接するものとして示される。したがって、プランジャ１３０は、バレル１１０の内側表面１２０と密封係合するように構成される。
【００３１】
図７〜８は、図１のシリンジアセンブリ１００の分解斜視図である。図７〜８に示されるように、シリンジアセンブリ１００は、バレル１１０と、プランジャ１３０と、固定機構１５０とを含む。図７〜８は更に、プランジャ１３０に連結されるプランジャヘッド１３１を表わす。
【００３２】
図８に示されるように、密封区域１１９は、固定機構１５０を保持するように構成され得る。例えば、座部区域１１９の内側表面１２５は、内向きに延びる１つ以上の突起部１２２を含み得る。突起部１２２は、固定機構１５０が座部区域１１９内に配置されるときに、その軸方向の回転を制限するように構成される。バレル１１０及び／又は座部区域１１９は更に、１つ以上の保持リッジ１２４を含み得る。保持リッジ１２４は、バレル１１０の開口部の近位端１２１から内向きに延び、固定機構１５０の長手方向の移動を制限するように構成される。例えば、保持リッジ１２４は、特に施術者がプランジャ１３０を後退させるときに、固定機構１５０がバレル１１０から出るか、又は落ちること防ぐ。
【００３３】
図７〜８に示されるように、固定機構１５０は、実質的に円筒形のリングであってもよく、したがって固定リングとして記載される。固定機構１５０は、プランジャ１３０を受容するように、内部を通じて延びるルーメンを含み得る。いくつかの実施形態において、固定機構１５０は、エラストマー材を含む。固定機構１５０はまた、外側表面１５２及び内側表面１５４を含む。内側表面１５４は、内側表面１５４から内向きに延び、プランジャ１３０上のリブ１３３と当接するように構成された、１つ以上の突起部１５６を含み得る。外側表面１５２は、１つ以上のスロット１５３を含み得る。バレル１１０内に配置されるとき、スロット１５３は、バレル１１０の内側表面１２０上に配置された１つ以上の突起部１２２と位置合わせされ、かつこれらと係合するように構成され得る。したがって、突起部１２２及びスロット１５３は、バレル１１０内の実質的な固定位置に、固定機構１５０を保持するように構成される。
【００３４】
図９〜１０は、これも表示ライン６−６に沿った、シリンジアセンブリ１００の断面図であり、バレル１１０内のプランジャ１３０の例示的な長手方向の移動を示している。図９において、プランジャ１３０は、バレル１１０内の、奥（すなわち、遠位）位置において長手方向に配置されている。図１０において、プランジャ１３０は、バレル１１０内の中間位置において長手方向に配置されている。理解され得るように、シリンジアセンブリ１００が非固定構成にあるとき、施術者はプランジャ１３０の把持部材１３７を把持し、プランジャ１３０を外向きに（例えば、図９の長手方向奥位置から、図１０の長手方向中間位置に）引いてもよい。プランジャ１３０が引かれると、バレル１１０内に負のゲージ圧、又は真空が形成される。負のゲージ圧は、プランジャ１３０がより長手方向奥位置へと戻るように付勢する。バレル１１０内の負のゲージ圧の維持を容易にするため、施術者はプランジャ１３０を軸方向に回転させ、これによりシリンジアセンブリ１００を非固定構成から固定構成へと遷移させてもよい。固定構成において、プランジャ１３０の長手方向の移動は、制限されるか、又は実質的に制限される。
【００３５】
シリンジアセンブリ１００は、バレル１１０の長さの連続的な部分に沿った任意の位置において、非固定構成から固定構成へと遷移するように構成される。したがって、プランジャ１３０は、その内部でプランジャ１３０が長手方向に変位可能であるバレル１１０の長さの一部に沿った、あらゆる所望の長手方向位置において、バレル１１０内で固定可能であるように構成される。
【００３６】
図１１Ａ〜１１Ｃは、非固定構成（図１１Ａ）、固定構成（図１１Ｂ）、及び非固定構成と固定構成との間の遷移部分にある中間的な位置（図１１Ｃ）における、表示ライン１１−１１に沿った、シリンジアセンブリ１００の断面図である。図１１Ａ〜１１Ｃに示されるように、プランジャ及び固定機構１５０は、非固定構成（図１１Ａ）と固定構成（図１１Ｂ）との間の遷移中に係合する。例えば、固定機構１５０は、１つ以上の固定表面１６０を含んでもよく、これらはそれぞれ、プランジャのリブ１３３と係合するように構成され得る。いくつかの実施形態において、固定表面１６０は、２つの隣接する突起部１５６の間で固定機構１５０の内側表面１５４上に配置され、突起部１５６もまた、固定機構１５０の内側表面１５４上に配置されている。
【００３７】
固定機構１５０上に配置された固定表面１６０の数は、様々であり得る。いくつかの実施形態において、固定表面１６０の数は、関連するプランジャ上のリブ１３３の数に依存し得る。例えば、図１１Ａ〜１１Ｃに示されるように、固定機構１５０は４つの固定表面１６０を含み、４つのリブ１３３を含むプランジャと使用するように構成され得る。各リブ１３３は、それ自体の対応する固定表面１６０と係合するように構成され得る。
【００３８】
固定機構１５０は、１つ以上の半径方向に拡張する構成要素を含み得る。例えば、図１１Ａ〜１１Ｃに示されるように、いくつかの実施形態において、固定表面１６０と固定機構１５０の中心軸との間の距離（例えば、Ｄ１、Ｄ２、Ｄ３）は、固定表面１６０の長さに沿って異なっている。この距離（例えば、Ｄ１、Ｄ２、Ｄ３）は、固定機構１５０の内側半径として記載され得る。図１１Ａ〜１１Ｃに示されるように、距離（例えば、Ｄ１、Ｄ２、Ｄ３）における変動は、突起部１５６の間の固定機構１５０の厚さ、つまり半径方向の厚さの変動の直接的な結果である。
【００３９】
いくつかの実施形態において、距離Ｄ１つまり固定表面１６０の第１区域１６１における内側半径は、距離Ｄ２つまり固定表面１６０の中間区域１６２における内側半径より大きく、距離Ｄ２は、距離Ｄ３つまり固定表面１６０の第２区域１６３における内側半径よりも大きい。したがって、いくつかの実施形態において、Ｄ１＞Ｄ２＞Ｄ３である。他の実施形態において、距離Ｄ１つまり固定表面１６０の第１区域１６１における内側半径は、距離Ｄ２つまり固定表面１６０の中間区域１６２における内側半径よりも大きく、距離Ｄ２は、距離Ｄ３つまり固定表面１６０の第２区域１６３における内側半径と等しい。したがって、いくつかの実施形態において、Ｄ１＞Ｄ２＝Ｄ３である。したがって、図１Ａ〜１１Ｃに示されるように、距離つまり固定表面１６０の内側半径は、第１区域１６１から中間区域１６２へと徐々に低減する。その後、いくつかの実施形態において、距離つまり固定表面１６０の内側半径は、中間区域１６２から第２区域１６３まで一定のままである。固定表面１６０に沿った、Ｄ１とＤ２との間の半径の変化は、カム表面である固定表面１６０の一例である。
【００４０】
いくつかの実施形態において、リブ１３３の長さは、距離Ｄ１つまり第１区域１６１における内側半径と同等であるかそれより短い。したがって、第１区域１６１におけるリブ１３３と固定表面１６０との係合は、最小であり得る。しかしながら、リブ１３３の長さは、距離Ｄ２つまり中間区域１６２における内側半径、及び距離Ｄ３つまり第２区域１６３における内側半径よりも大きい場合がある。したがって、中間区域１６２及び／又は第２区域１６３におけるリブ１３３と固定表面１６０との係合は、固定表面１６０に対してより大きな圧縮力をもたらし、締まりばめをもたらす。いくつかの実施形態において、中間区域１６２及び／又は第２区域１６３におけるリブ１３３と固定表面１６０との間の圧縮力又は締まりばめは、プランジャの長手方向の移動を制限する。
【００４１】
理解され得るように、リブ１３３が第１区域１６１において固定表面１６０に当接する位置から、リブ１３３が中間区域１６２において固定表面１６０に当接する位置へのプランジャの軸方向の回転は、力を必要とする。更に、固定表面１６０に沿って、第１区域１６１から中間区域１６２へと固定機構１５０の中心軸からの距離（つまり内側半径）が低減するに伴い、必要とされる力は徐々に増す。対照的に、いくつかの実施形態において、プランジャを中間区域１６２から第２区域１６３へと回転させるのに必要な力は一定のままである。プランジャを中間位置（図１１Ｃ）から固定構成（図１１Ｂ）へと回転させる際に施術者が得る感触はしたがって、プランジャを非固定構成（図１１Ａ）から中間位置（図１１Ｃ）へと最初に回転させる際と異なる場合がある。この違いは、シリンジアセンブリが、非固定構成（図１１Ａ）から固定構成（図１１Ｂ）へとほぼ、又は完全に遷移したことを知らせる。この中間位置を通る遷移はしたがって、触覚的インジケータとして機能するものとして記載され得る。触覚的インジケータはまた、固定構成（図１１Ｃ）から非固定構成（図１１Ａ）へと遷移する間に、施術者が感知することができる。
【００４２】
図１１Ａを参照し、シリンジアセンブリ１００は非固定構成で示されている。リブ１３３は、固定表面１６０の第１区域１６１に当接するように位置合わせされ、かつ位置付けられる。第１区域１６１において、距離Ｄ１つまり内側半径は最大である。図１１Ａに更に示されるように、固定機構１５０の厚さは、第１区域１６１において最小であり得る。距離Ｄ１つまり第１区域１６１における内側半径は、リブ１３３の半径方向長さと実質的に同じ長さであるか、又はそれより小さい場合があるため、リブ１３３と固定機構１５０との間の係合は最小であり（又は全く係合していない）、プランジャは、バレル内で長手方向に移動可能である。
【００４３】
図１１Ｂを参照し、シリンジアセンブリ１００は、固定構成において示されており、プランジャは、図１１Ａの非固定構成から約８０°〜約９０°軸方向に回転している。用語「約」は、±１０°の範囲を指す。図１１Ｂに示されるように、固定構成において、リブ１３３は、固定表面１６０の第２区域１６３に当接するように位置合わせされ、かつ位置付けられる。第２区域１６３において、距離Ｄ３つまり内側半径は最小であるか、又はＤ１よりも小さい。更に図１１Ｂに示されるように、固定機構１６０の厚さは、第２区域１６３の付近において最大であり得る。
【００４４】
先に記載されたように、距離Ｄ３つまり内側半径は、リブ１３３の半径方向長さよりも小さい。したがって施術者は、プランジャを図１１Ｂの固定構成に向けて軸方向に回転させるときに力をかけてもよい。リブ１３３の半径方向長さはＤ３よりも大きいので、リブ１３３が固定機構１５０に半径方向外向きの力をかけ、これが固定機構１５０を圧縮する。固定機構１５０はその後、非圧縮状態に向けて付勢され、したがってリブ１３３に反作用力をかけることがある。固定機構１５０とリブ１３３との間のこの係合は、締まりばめを形成し、バレル内におけるプランジャの長手方向の移動を制限するか、又は実質的に制限し得る。
【００４５】
図１１Ｃを参照し、シリンジアセンブリ１００は、中間位置に示され、プランジャは軸方向に約４５°回転している。他の実施形態において、中間位置はプランジャが約３０°〜約７５°軸方向に回転した位置である。図１１Ｃに示されるように、中間位置において、リブ１３３が固定表面１６０の中間区域１６２に当接するように位置合わせされ、かつ位置付けられる。いくつかの実施形態において、距離Ｄ２つまり内側半径は、上記の図１１Ａ〜１１Ｂに示される、距離Ｄ１とＤ３との間である。他の実施形態において、距離Ｄ２つまり内側半径は、図１１Ｂに示される距離Ｄ３つまり内側半径と等しい。
【００４６】
固定構成と同様に、中間位置において、距離Ｄ２つまり内側半径は、リブ１３３の半径方向長さよりも小さい。したがって施術者は、プランジャを図１１Ｃの中間位置に向けて軸方向に回転させるときに力をかけてもよい。リブ１３３の長さはＤ２よりも大きいので、リブ１３３が固定機構１５０に半径方向外向きの力をかけ、これが固定機構１５０を圧縮する。固定機構１５０はその後、非圧縮状態に向けて付勢され、したがってリブ１３３に反作用力をかける。固定機構１５０とリブ１３３との間のこの係合又は締まりばめは、バレル内におけるプランジャの長手方向の移動を制限するか、又は実質的に制限する。
【００４７】
図１２〜１６Ｃは、シリンジアセンブリの別の実施形態、シリンジアセンブリ２００を例示する。図１２及び図１３は、シリンジアセンブリ２００の斜視図である。図１４及び図１５は、シリンジアセンブリ２００の分解図を例示する。シリンジアセンブリ２００は、シリンジアセンブリ１００と同様であるが、固定機構が異なる。シリンジアセンブリ１００の構成要素に関する上記の開示はまた、シリンジアセンブリ２００の同様の構成要素にも適用されることが理解されるべきである。同様に、シリンジアセンブリ２００の構成要素に関する開示は、シリンジアセンブリ１００の同様の構成要素に適用される。
【００４８】
図１２及び図１３に示されるように、シリンジアセンブリ２００は、バレル２１０と、プランジャ２３０と、固定機構２５０とを含み得る。固定機構１５０と同様に、係合するとき、固定機構２５０は、バレル２１０内におけるプランジャ２３０の長手方向の移動を制限するように構成される。固定機構２５０は、プランジャ２３０の回転位置に基づいて、プランジャ２３０の長手方向の移動を制限するか、又は可能にするように構成され得る。
【００４９】
例示される実施形態において、固定機構２５０は、第１の部分的なリング２５１と、第２の部分的なリング２６１とを含む。他の実施形態において、第１の部分的なリング２５１のみが存在するか、又は３つ以上の部分的なリングが存在し得る。いくつかの実施形態において、固定機構２５０は、第１の部分的なリング２５１を含み、これは変動する半径厚さを有する。
【００５０】
例示される実施形態において、プランジャ２３０は、固定構成にあるときに、第１の部分的なリング２５１及び第２の部分的なリング２６１に半径方向の力をかける。プランジャ２３０は、第１の部分的なリング２５１に半径方向の力をかける、隆起表面２３５ａを含み得る。同様に、プランジャ２３０は、第２の部分的なリング２６１に半径方向の力をかける、隆起表面２３５ｂを含み得る。隆起表面２３５ａ、２３５ｂは、非固定構成にあるときに、第１の部分的なリング２５１及び第２の部分的なリング２６１に最小の半径方向の力をかけることがある。例示される実施形態において、リブ２３３ａの外側表面は、隆起表面２３５ａを含み、リブ２３３ｂの外側表面は隆起表面２３５ｂを含む。プランジャ２３０のリブ２３３の数は、部分的なリングの数と等しいことがある。
【００５１】
プランジャ２３０は、プランジャヘッド２３１を含み得る。プランジャ２３０の近位端は、把持部材２３７を含み得る。様々な把持部材２３７が使用され得る。例えば、いくつかの実施形態において、把持部材２３７は、円形のディスク、又は細長いディスクを含む。他の実施形態において、把持部材２３７は、ハンドル又は同様の構造を含む。
【００５２】
例示される実施形態において、第１の部分的なリング２５１及び第２の部分的なリング２６１はそれぞれ、剛性材料を含む。他の実施形態において、第１の部分的なリング２５１及び第２の部分的なリング２６１は、エラストマー材を含み得る。
【００５３】
例示される実施形態において、第１の部分的なリング２５１は、第１カム表面２５２を含む。第１カム表面２５２は、例えば、例示される実施形態におけるもののような、第１の部分的なリング２５１の内側表面上に配置された不均一な表面を含み得る。例えば、例示される実施形態において、不均一な表面は、第１の部分的なリング２５１の細い端部２５３周辺から、第１の部分的なリング２５１の厚い端部２５４周辺まで延びる非円形の弓状表面を含む。
【００５４】
同様に、第２の部分的なリング２６１は、例えば、例示される実施形態におけるもののような、第２カム表面２６２を含み得る。第２カム表面２６２は、第２の部分的なリング２６１の内側表面上に配置される不均一な表面を含み得る。第２カム表面２６２の不均一な表面は、第２の部分的なリング２６１の細い端部２６３周辺から、第２の部分的なリング２６１の厚い端部２６４周辺まで延びる、非円形の弓状表面を含み得る。
【００５５】
例示される実施形態において、第１の部分的なリング２５１の外側表面２５５は、円形の弓状表面を含む。同様に、第２の部分的なリング２６１の外側表面２６５は、円形の弓状表面を含む。外側表面２５５、２６５は、バレル２１０の内側表面とかみ合うように構成され得る。他の実施形態において、外側表面２５５、２６５は、カム表面を含み得る。
【００５６】
例示される実施形態において、第１の部分的なリング２５１は、第１末端停止部２５７を含む。第１末端停止部２５７は、第１の部分的なリング２５１の細い端部２５３から半径方向内向きに延びる突起部を含み得る。第１末端停止部２５７は、プランジャ２３０のリブ２３３ａが細い端部２５３を越えて回転するのを防ぐような大きさ及び配置であり得る。
【００５７】
例示される実施形態において、第１の部分的なリング２５１は第２末端停止部２５８を更に含む。第２末端停止部２５８は、第１の部分的なリング２５１の厚い端部２５４から半径方向内向きに延びる突起部を含み得る。第２末端停止部２５８は、リブ２３３ａが厚い端部２５４を越えて回転するのを防ぐような大きさ及び配置であり得る。リッジ２５２ａは、第２末端停止部２５８の付近の、又はこれに隣接する厚い端部２５４において内側表面（第１カム表面２５２）上に形成され得る。リッジ２５２ａは、リブ２３３ａがリッジ２５２ａと係合する際に、プランジャ２３０の長手方向の移動に抵抗するような向き及び大きさであり得る。リッジ２５２ａはまた、リブ２３３ａの隆起表面２３５ａ上に形成された歯と係合するような大きさ及び向きであり得る。同様に、例示される実施形態において、第２の部分的なリング２６１は、第１末端停止部２６７を含む。第１端部停止部２６７は、第２の部分的なリング２６１の細い端部２６３から半径方向内向きに延びる突起部を含み得る。第１末端停止部２６７は、プランジャ２３０のリブ２３３ｂが細い端部２６３を越えて回転するのを防ぐような大きさ及び配置であり得る。
【００５８】
例示される実施形態において、第２の部分的なリング２６１は第２末端停止部２６８を更に含む。第２末端停止部２６８は、第２の部分的なリング２６１の厚い端部２６４から半径方向内向きに延びる突起部を含み得る。第２末端停止部２６８は、リブ２３３ｂが厚い端部２６４を越えて回転するのを防ぐような大きさ及び配置であり得る。リッジ２６２ａは、第２末端停止部２６８の付近の、又はこれに隣接する厚い端部２６４における内側表面（第２カム表面２６２）上に形成され得る。リッジ２６２ａは、リブ２３３ｂがリッジ２６２ａと係合する際に、プランジャ２３０の長手方向の移動に抵抗するような向き及び大きさであり得る。リッジ２６２ａはまた、リブ２３３ｂの隆起表面２３５ｂ上に形成された歯と係合するような大きさ及び向きであり得る。
【００５９】
他の実施形態において、リッジ２５２ａ、２６２ａは、存在してもしなくてもよいが、隆起表面２３５ａ、２３５ｂは平滑である。更に他の実施形態において、リッジ２５２ａ、２６２ａは存在しないが、隆起表面２３５ａ、２３５ｂは、歯を含んでも、含まなくてもよい。
【００６０】
いくつかの実施形態において、第１カム表面２５２及び第２カム表面２６２の全部又は一部が、カムとして機能するように構成され得る。例えば、例示される実施形態において、第１末端停止部２５７とリッジ２５２ａとの間の第１カム表面２５２の部分は、第１の部分的なリング２５１の厚さが増加しているため、カムとして機能するように構成され得る。リッジ２５２ａが形成される場所の、又はその付近の、第１カム表面２５２の部分は、カムとして機能するように構成されないことがあり、又は換言すると、リッジ２５２ａの、又はその付近の第１の部分的なリング２５１の厚さは、同じままであり得るか、又はリッジ２５２ａに隣接する第１の部分的なリング２５１の厚さに対して減少し得る。第２カム表面２６２は同様に構成され得る。
【００６１】
例示される実施形態において、第１の部分的なリング２５１及び第２の部分的なリング２６１は、バレル２１０の近位端の内側に位置する。例示される実施形態において、第１の部分的なリング２５１及び第２の部分的なリング２６１は、バレル２１０と係合して、バレル２１０内に第１の部分的なリング２５１及び第２の部分的なリング２６１を保持するように構成される。例えば、例示される実施形態において、第１の部分的なリング２５１は、バレル２１０と係合して、第１の部分的なリング２５１をバレル２１０内に保持するように構成された第１保持アーム２５９を含む。同様に、第２の部分的なリング２６１は、バレル２１０と係合して、バレル２１０内の第２の部分的なリング２６１を保持するように構成された第２保持アーム２６９を含み得る。例えば、第１保持アーム２５９は、バレル２１０内において第１受容部２１８ａと係合するように構成された第１ラッチ２５９ａを含んでもよく、第２保持アーム２６９は、バレル２１０内において第２受容部２１８ｂと係合するように構成された第２ラッチ２６９ａを含み得る。第１受容部２１８ａ及び第２受容部２１８ｂは、把持部材２１７内に位置してもよい。第１受容部２１８ａ及び第２受容部２１８ｂ、並びに第１保持アーム２５９及び第２保持アーム２６９は、係合戻り止め、リッジ、ラッチ、又は他の構成要素と、スナップ嵌め式の構成で係合し得る。当業者は、本開示による助けにより、バレル２１０内に第１の部分的なリング２５１及び第２の部分的なリング２６１を保持するために他の構造が使用され得ることを理解する。
【００６２】
例示される実施形態において、バレル２１０は近位端において座部区域２１９を更に含み、第１の部分的なリング２５１及び第２の部分的なリング２６１が、座部区域２１９内に配置される。座部区域２１９は、バレル２１０内に第１の部分的なリング２５１及び第２の部分的なリング２６１を保持するように構成され得る。座部区域２１９は、バレル２１０の残りの部分の内径よりも大きな内径を含み得る。座部区域２１９は、プランジャ２３０が第１の部分的なリング２５１及び第２の部分的なリング２６１に半径方向の力を加えるに伴って座部区域２１９の内径を外向きに変形させるように、配置及び構成された、１つ以上の開口２１９ａを含み得る。この外向きの変形は、固定機構に柔軟性を付与することがあり、固定中、又は固定解除中にプランジャの回転方向の変位を促進する一方で、依然として半径方向の制約をもたらし、これにより、アセンブリが固定位置にあるときに、プランジャが第１の部分的なリング２５１及び第２の部分的なリング２６１と摩擦係合する。他の実施形態において、座部区域２１９は存在しなくてもよく、又は特定の実施形態の固定機構２５０と係合するように適合されてもよい。
【００６３】
図１６Ａ〜１６Ｃは、固定機構２５０の動作を例示する。図１６Ａは、表示ライン１６−１６に沿った、固定構成にある、シリンジアセンブリ２００の近位端の断面図を例示する。リブ２３３ａは、第２末端停止部２５８に対し、時計回りに回転されている。同様に、リブ２３３ｂは、第２末端停止部２６８に対して時計回りに回転されている。隆起表面２３５ａ（リブ２３３ａの外側表面）は、第１の部分的なリング２５１の内側表面（第１カム表面２５２）上に形成されたリッジと係合している。同様に、隆起表面２３５ｂ（リブ２３３ｂの外側表面）は、第２の部分的なリング２６１の内側表面（第２カム表面２６２）上に形成されたリッジと係合している。例示される実施形態において、リッジ及び対応する第２末端停止部２５８、２６８は、プランジャ２３０が固定構成へと回転されたことの、触覚的インジケータとして機能する。他の実施形態において、触覚的インジケータを提供する他の機構が使用されてもよい。例えば、以下に更に詳述されるように、第１カム表面２５２及び第２カム表面２６２は、アセンブリが固定構成に配置されたことの、触覚的及び／聴覚的合図をもたらすような形状又は設計であり得る。
【００６４】
図１６Ｂは、表示ライン１６−１６に沿った、非固定構成にある、シリンジアセンブリ２００の近位端の断面図を例示する。リブ２３３ａは、第１末端停止部２５７に対して反時計回りに回転されている。同様に、リブ２３３ｂは、第１末端停止部２６７に対して反時計回りに回転されている。例示される実施形態において、隆起表面２３５ａ、２３５ｂは、対応する第１カム表面２５２及び第２カム表面２６２と接触したままであるものとして示されている。いくつかの実施形態において、非固定構成にあるとき、隆起表面２３５ａ、２３５ｂは、対応する第１カム表面２５２及び第２カム表面２６２と接触していなくてもよい。例えば、非固定構成にあるとき、隆起表面２３５ａ、２３５ｂの一方又は両方が、対応する第１カム表面２５２及び第２カム表面２６２と軽く接触して（すなわち、最小の半径方向の力がかかる）、プランジャ２３０が第１の部分的なリング２５１及び第２の部分的なリング２６２とゆるく嵌合するようにする。別の例において、非固定構成にあるとき、隆起表面２３５ａ、２３５ｂの一方又は両方が、対応する第１カム表面２５２及び第２カム表面２６２に軽く接触して（すなわち、最小の半径方向の力がかかる）、それによりプランジャ２３０がバレル２１０内を長手方向に移動する際の表面間の相互作用を、施術者が聞く、及び／又は感じることができる。
【００６５】
図１６Ｃは、プランジャ２３０が一部固定位置にある、シリンジアセンブリ２００の近位端の、表示ライン１６−１６に沿った断面図を例示する。リブ２３３ａ、２３３ｂは、第１末端停止部２５７、２６７から、それぞれ約４５°回転している。この回転点付近において、隆起表面２３５ａ、２３５ｂは第１カム表面２５２及び第２カム表面２６２と、プランジャ２３０の長手方向の移動を制限するか、又は部分的に制限するのに十分に摩擦係合し始めてもよい。プランジャ２３０が更に時計回りに回転すると、摩擦係合が増大して、プランジャ２３０の長手方向の移動を更に制限する。いくつかの実施形態において、プランジャ２３０は約８０°〜約１３０°軸方向に回転して、非固定構成から固定構成へと遷移する。
【００６６】
例示される実施形態において、座部区域２１９は２つの開口２１９ａを含む。先に記載されたように、開口２１９ａは、プランジャ２３０が第１の部分的なリング２５１及び第２の部分的なリング２６１に半径方向の力を加えるに伴って座部区域２１９の内径を外向きに変形させるように、配置及び構成され得る。例示される実施形態において、開口２１９ａはそれぞれ、第１末端停止部２５７、２６７から約９０°に位置し、第２末端停止部２５８、２６８とそれぞれ重ならない。これは、半径方向の力が第１の部分的なリング２５１及び第２の部分的なリング２６１に、開口２１９ａの位置で力がかけられるときに、この位置において、座部区域２１９が潜在的に施術者により知覚されないように外向きに変形し得るという、利益をもたらす。
【００６７】
例示される実施形態において、リッジ２５２ａ、又はその付近における第１の部分的なリング２５１の厚さは、一定であるか、又はリッジ２５２ａに隣接する第１の部分的なリング２５１の厚さに対して低減し、第２の部分的なリング２５２に関しても同様である。結果として、施術者は、プランジャ２３０が図１６Ｃに例示される位置を越えて時計回りに回転する際、及びリブ２３３ａ、２３３ｂが開口２１９ａの付近にある間に、抵抗の増大を経験する。その後、リブ２３３ａ、２３３ｂがリッジ２５２ａ、２６２ａに接近するに伴って、回転に対する抵抗の顕著な増大が生じる。次に、リブ２３３ａ、２３３ｂが第２末端停止部２５８、２６８と接触すると、抵抗の著しい増大が生じる。プランジャ２３０が固定構成へと回転する間に、一時的に抵抗が増大することの１つの利益として、抵抗が増大することで、施術者にプランジャ２３０が固定構成へと回転していることの触覚的合図をもたらす。
【００６８】
本開示はまた、シリンジ内の真空を維持するための弁を含む。図１７Ａ〜１８Ｂは、弁の一実施形態、弁３００を例示する。図１７Ａは弁３００の分解図であり、図１７Ｂは、図１７Ａの弁の部分組立図である。弁３００は、シリンジアセンブリ１００又はシリンジアセンブリ２００などのシリンジと、針又はカテーテルなどの身体挿入装置とを流体連結するように構成された流体チャネル３２０を含む、本体部分３１０を含む。例えば、近位端３１２は、シリンジの先端部とかみ合うように構成されてもよく、遠位端３１３は、身体挿入装置とかみ合うように構成されてもよい。弁３００は、シリンジ内の真空を維持するのに十分に流体チャネル３２０を流体密封するように構成され、かつ作動されない限り流体チャネル３２０を遮断するように本体部分３１０に動作可能に接続された、弁部材３５０を更に含む。弁３００は、弁部材３５０に動作可能に接続され、流体チャネル３１０を解放するのに十分なだけ弁部材３５０を移動させるように構成された作動装置３７０を更に含む。作動装置３７０は、片手で作動されるように構成され得る。
【００６９】
例示される実施形態において、作動装置３７０は、弁部材３５０を線形に作動させるように構成される。他の実施形態において、作動装置は、弁部材を回転方向に作動させるように構成され得る。
【００７０】
作動装置３７０は、第１位置及び第２位置を有し得る。例示される実施形態のような実施形態において、作動装置３７０が第１位置にあると、弁部材３５０は流体チャネル３２０を遮断するように位置付けられる。同様に、このような実施形態において、作動装置３７０が第２位置にあると、弁部材３５０は流体チャネル３２０を少なくとも部分的に解放するように位置付けられる。
【００７１】
例示される実施形態において、弁本体３１０は、弁本体３１０の両側に肩部３１１を含む。作動装置３７０は、弁本体３１０の側部を把持するように構成されたクリップアームを含む。クリップアームは、第１溝部３７１及び第２溝部３７２を含む。第１溝部３７１は、クリップアーム上において、第２の溝３７２よりも低い。第１溝部３７１及び第２溝部３７２は両方とも、同時にではないが、肩部３１１とかみ合うように構成される。
【００７２】
適所に密封部材３５０を備える作動装置３７０が、図１７Ｃに例示されるように、本体部分３１０と係合するとき、肩部３１１は、第１溝部３７１とかみ合い、弁３００は第１位置にある。図１８Ａは、第１位置にある弁３００の、表示ライン１８Ａ−１８Ａに沿った、断面図である。第１位置において、流体チャネル３２０は遮断される。密封部材３５０の全部又は一部が、流体チャネル３２０の近位端（弁本体３１０の近位端３１２と対応する）における真空の維持を促進するためにエラストマー材を含んでもよい。
【００７３】
適所に密封部材３５０を備える作動装置３７０が、図１７Ｄに例示されるように、本体部分３１０と係合するとき、肩部３１１は、第２溝部３７２とかみ合い、弁３００は第２位置にある。図１８Ｂは、第２位置にある弁３００の、表示ライン１８Ｂ−１８Ｂに沿った、断面図である。第２位置において、流体チャネル３２０は完全に解放されている。
【００７４】
例示される実施形態のようないくつかの実施形態において、作動装置３７０は、作動装置３７０を第１位置から第２位置へと移動させるように構成された、押圧可能な表面３８０を含む。作動装置３７０は、例えば、例示される実施形態において、押圧可能な表面３８０から圧力を解放した後、第２位置に留まるように構成され得る。あるいは、作動装置３７０は、押圧可能な表面３８０から圧力が解放された後に第１位置に戻るように構成され得る。例えば、作動装置３７０は、押圧可能な表面３８０から圧力が解放された後に、弁部材３５０を遮断位置に戻すように構成されたばね部材を含み得る。
【００７５】
本明細書において開示される弁の実施形態は、シリンジアセンブリ１００及び２００など、本明細書において開示されるシリンジアセンブリの実施形態のいずれかと共に使用することができる。加えて、シリンジアセンブリ１００及び２００は、バレル１１０、２１０内で、プランジャ１３０、２３０と弁との間に真空を維持するように構成された弁を含み得る。いくつかの実施形態において、弁は、バレル１１０、２１０と（例えば、その遠位端に）一体化されてもよい。
【００７６】
いくつかの実施形態において、弁は、施術者がプランジャを近位方向に引く際に、閉鎖構成にされてもよい。プランジャの近位方向への変位は、バレル内に負のゲージ圧、又は不完全真空を生じ得る。施術者はその後プランジャを近位位置に固定してもよい。閉鎖位置にある弁、及び固定したプランジャはその後、施術者による操作なしに、バレル内の不完全真空を維持することができる。いくつかの場合において、弁は、施術者がアセンブリを把持する同じ手で作動させることができる。換言すれば、いくつかの実施形態において、構成要素は、施術者が片手でシリンジを保持し、弁を作動させることができるように配置される。例えば、プランジャが固定され、弁が閉止され、バレル内が負のゲージ圧であるとき、施術者は、弁の流体チャネルが、患者の身体内の血栓など捕捉されるべき物体と隣接するように、アセンブリを配置することができる。施術者はその後弁を開いてもよく、バレル内の不完全真空が弁を通じて物質を引くに伴い、血栓は弁を通じてバレル内へと引き込まれ得る。バレル及び弁はその後、捕捉されたサンプルの保管又は輸送装置として使用されてもよい。
【００７７】
固定可能なシリンジアセンブリの使用方法もまた本明細書において開示される。例えば、固定可能なシリンジアセンブリは、患者に負のゲージ圧を適用する方法において使用され得る。方法はまた、患者から流体を抜き取るのに使用され得る。この方法は、本明細書において記載されるように、固定可能なシリンジアセンブリを得る工程を含み得る。例えば、シリンジアセンブリは、バレルと、プランジャと、カム表面を含む固定機構とを含み得る。方法は、バレル内に負のゲージ圧を形成するために、バレル内のプランジャを引く工程を更に含み得る。方法は、バレル内の負のゲージ圧を維持するために、カム表面が非固定構成から固定構成に遷移するように、プランジャをバレルに対して軸方向に回転させる工程を更に含み得る。いくつかの実施形態において、プランジャを軸方向に回転させる工程は、カム表面に半径方向の力をかけることを含み得る。いくつかの実施形態において、半径方向の力をかける工程は、エラストマーのリングに半径方向の力をかけることを含み得る。いくつかの実施形態において、半径方向の力をかける工程は、剛性の部分的なリングに半径方向の力をかけることを含み得る。
【００７８】
いくつかの実施形態において、方法は更に、弁作動装置を押圧してシリンジアセンブリを身体挿入装置（例えば、針又はカテーテル）に流体連結し、バレル内の負のゲージ圧を解放することを含み得る。更に、いくつかの実施形態において、弁作動装置を押圧することは、バレルと一体化された弁作動装置を押圧することを含む。あるいは、他の実施形態において、弁作動装置を押圧することはバレルの外部にある弁作動装置を押圧することを含む。
【００７９】
いくつかの実施形態において、方法は更に、負のゲージ圧が標的部位からバレルへと流体又は物質を引くように、バレルと患者の身体の標的部位との間に流体連通をもたらすように、弁を作動させることを更に含み得る。このような実施形態のいくつかにおいて、弁を作動させることは、片手のみで弁を操作し、シリンジを把持することを含み得る。
【００８０】
更に説明せずとも、当業者は本発明を最大限に使用するために、上記の説明を使用することができるものと考えられる。本明細書において開示される請求項及び実施形態は、単に例示的かつ代表的であり、本開示の範囲をいかようにも制限するものと解釈されるべきではない。本開示の助けにより、本明細書における開示の基本的な原理から逸脱することなく、上記の実施形態の細部に変更を加えることができることが、当業者には明らかとなる。換言すると、上記の説明において具体的に開示される実施形態の様々な修正及び改善は、添付される請求項の範囲内である。本発明の範囲はしたがって、請求項及びその等価物により定義される。
【図１】
2016512145.tif 000003
【図２】
2016512145.tif 000004
【図３】
2016512145.tif 000005
【図４】
2016512145.tif 000006
【図５】
2016512145.tif 000007
【図６】
2016512145.tif 000008
【図７】
2016512145.tif 000009
【図８】
2016512145.tif 000010
【図９】
2016512145.tif 000011
【図１０】
2016512145.tif 000012
【図１１Ａ】
2016512145.tif 000013
【図１１Ｂ】
2016512145.tif 000014
【図１１Ｃ】
2016512145.tif 000015
【図１２】
2016512145.tif 000016
【図１３】
2016512145.tif 000017
【図１４】
2016512145.tif 000018
【図１５】
2016512145.tif 000019
【図１６Ａ】
2016512145.tif 000020
【図１６Ｂ】
2016512145.tif 000021
【図１６Ｃ】
2016512145.tif 000022
【図１７Ａ】
2016512145.tif 000023
【図１７Ｂ】
2016512145.tif 000024
【図１７Ｃ】
2016512145.tif 000025
【図１７Ｄ】
2016512145.tif 000026
【図１８Ａ】
2016512145.tif 000027
【図１８Ｂ】
2016512145.tif 000028
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
シリンジアセンブリであって、
近位端及び遠位端を含むバレルと、
プランジャと、
前記バレル内に配置され、前記プランジャに動作可能に接続され、かつ前記プランジャの前記回転位置に基づいて前記プランジャの長手方向の移動を制限するか、又は可能にするように構成された、第１の部分的なリングとを含む、シリンジアセンブリ。
【請求項２】
固定構成にあるときに、前記プランジャは前記第１の部分的なリングに半径方向の力をかける、請求項１に記載のシリンジアセンブリ。
【請求項３】
前記プランジャは、前記固定構成にあるときに前記第１の部分的なリングに半径方向の力をかける隆起表面を含む、請求項２に記載のシリンジアセンブリ。
【請求項４】
非固定構成にあるときに、前記隆起表面は、前記第１の部分的なリングに最小の半径方向の力をかける、請求項３に記載のシリンジアセンブリ。
【請求項５】
前記第１の部分的なリングが剛性材料を含む、請求項１〜４のいずれか一項に記載のシリンジアセンブリ。
【請求項６】
前記第１の部分的なリングが、第１カム表面を含む、請求項１〜５のいずれか一項に記載のシリンジアセンブリ。
【請求項７】
前記第１カム表面は、前記第１の部分的なリングの内側表面上に配置された不均一な表面を含み、
前記不均一な表面は、前記第１の部分的なリングの細い端部周辺から、前記第１の部分的なリングの厚い端部周辺まで延びる非円形の弓状表面を含む、請求項６に記載のシリンジアセンブリ。
【請求項８】
前記第１の部分的なリングの外側表面は、円形の弓状表面を含むとともに、前記バレルの内側表面とかみ合うように構成される、請求項７に記載のシリンジアセンブリ。
【請求項９】
前記第１の部分的なリングは第１末端停止部を含み、
前記第１末端停止部は、前記第１の部分的なリングの細い端部から半径方向内向きに延びる突起部を含むとともに、前記プランジャのリブが前記第１の部分的なリングの前記細い端部を越えて回転するのを防ぐような大きさ及び配置である、請求項１〜８のいずれか一項に記載のシリンジアセンブリ。
【請求項１０】
前記第１の部分的なリングは第２末端停止部を含み、
前記第２末端停止部は、前記第１の部分的なリングの細い端部から半径方向内向きに延びる突起部を含むとともに、前記プランジャのリブが前記第１の部分的なリングの前記厚い端部を越えて回転するのを防ぐような大きさ及び配置である、請求項１〜９のいずれか一項に記載のシリンジアセンブリ。
【請求項１１】
前記第１の部分的なリングの内側表面が、前記第２末端停止部付近の、前記第１の部分的なリングの前記厚い端部にリッジを含み、これは前記プランジャの前記リブが前記リッジと係合する際に、前記プランジャの長手方向の移動に抵抗するような向き及び大きさである、請求項１０に記載のシリンジアセンブリ。
【請求項１２】
前記リッジは、前記プランジャの前記リブの外側表面上に形成された歯と係合するような大きさ及び向きである、請求項１１に記載のシリンジアセンブリ。
【請求項１３】
前記部分的なリングは、前記バレルと係合して前記第１の部分的なリングを前記バレル内に保持するように構成されている、請求項１〜１２のいずれか一項に記載のシリンジアセンブリ。
【請求項１４】
前記バレル内に配置され、前記プランジャに動作可能に接続され、前記プランジャの前記回転位置に基づいて前記プランジャの長手方向の移動を制限するか、又は可能にするように構成された、第２の部分的なリングを更に含む、請求項１〜１３のいずれか一項に記載のシリンジアセンブリ。
【請求項１５】
前記バレルは前記近位端に座部区域を更に含み、前記第１及び第２の部分的なリングは前記座部区域内に配置され、
前記座部区域は、前記第１及び第２の部分的なリングを前記バレル内に前記近位端にて保持するように構成されている、請求項１４に記載のシリンジアセンブリ。
【請求項１６】
前記プランジャが固定構成へと回転される際に当たる、触覚的インジケータを更に含む、請求項１〜１５のいずれか一項に記載のシリンジアセンブリ。
【請求項１７】
前記バレルに一体化される弁を更に含み、前記弁は前記バレル内で、前記プランジャと前記弁との間に真空を維持するように構成されている、請求項１〜１６のいずれか一項に記載のシリンジアセンブリ。
【国際調査報告】
2016512145.tif 000029
2016512145.tif 000030
2016512145.tif 000031
2016512145.tif 000032